(57)【要約】      （修正有）【課題】通話セットアップ待ち時間を最小にする方法及び装置を提供する。【解決手段】チャネル割り当てメッセージは、以前に取り決めたサービスパラメータの使用を指示するフラッグとともに送信される。この態様は、サービスネゴシエーションメッセージの必要性を削除する。また、チャネル割り当てメッセージは、アクティブセット及びそのパラメータの代わりにアクティブセット識別名とともに送信される。この態様は、チャネル割り当てメッセージの送信時間を削減する。さらに、ページングなしの通話セットアップは、アクティブな通信セッション間でパイロット強度観測メッセージを移動局が送信することによって容易にされる。その結果、チャネル割り当てメッセージは、移動局をページングすること及び関連したメッセージに対する必要性なしに移動局が終点の通話セットアップに使用されることができる。【選択図】図８
2010063108.tif 000002
【特許請求の範囲】
【請求項１】
ワイアレス通信システムにおける通話セットアップの方法であって、以下を具備する：
以前に取り決めたサービスパラメータの使用を指示するために第１の局から第２の局へチャネル割り当てメッセージを送信すること。
【請求項２】
請求項１の方法、ここで、チャネル割り当てメッセージはフラッグを具備する。
【請求項３】
請求項２の方法、ここで、チャネル割り当てメッセージは、アクティブセット及びアクティブセットのパラメータに関連したアクティブセット識別名をさらに具備する。
【請求項４】
請求項３の方法、ここで、チャネル割り当てメッセージは、移動局からの開始メッセージに応答して送信される。
【請求項５】
請求項４の方法、ここで、開始メッセージは、ショートデータバースト情報を含む。
【請求項６】
請求項２の方法、ここで、チャネル割り当てメッセージは、ページングシーケンスに応答して送信される。
【請求項７】
請求項２の方法、ここで、チャネル割り当てメッセージは、モービルスイチングセンタ（ＭＳＣ）からのページング要求メッセージに応答してページングなしで通話を開始するために送信される。
【請求項８】
ワイアレス通信システムにおける通話セットアップの方法であって、以下を具備する：
第１の局から第２の局へチャネル割り当てメッセージを送信すること、ここで、前記メッセージは、アクティブセット及びアクティブセットのパラメータに関連したアクティブセット識別名を具備する。
【請求項９】
請求項８の方法、ここで、チャネル割り当てメッセージは、それらと関連させるアクティブセット識別名を有するアクティブセット及びパラメータを具備するチャネル割り当てメッセージに続いて送信される。
【請求項１０】
ページングなしで移動局が終点の通話セットアップを開始するための方法であって、移動局はアイドル状態にあって、以下を具備する：
移動局は、基地局へパイロット強度観測メッセージを配信するためにシステムアクセス状態に入ること。
【請求項１１】
請求項１０の方法であって、基地局は、パイロット強度観測メッセージ中の情報に基づいたアクティブセットを有するチャネル割り当てメッセージを移動局へ送信すること、をさらに具備する。
【請求項１２】
請求項１１の方法、ここで、アクティブセット情報は、アクティブセット識別名を使用して送信される。
【請求項１３】
請求項１１の方法であって、移動局は、チャネル割り当てメッセージに応答してトラフィックチャネルセットアップにある基地局へ認証メッセージを送信すること、をさらに具備する。
【請求項１４】
請求項１の方法、ここで、チャネル割り当てメッセージは、以前に使用したアクティブセット情報含む。
【請求項１５】
請求項３の方法であって、しきい値を超える強度で1若しくはそれ以上の追加のパイロット信号の移動局の受信で条件付けられたパイロット強度観測メッセージを有するチャネル割り当てメッセージに応答する移動局をさらに具備する。
【請求項１６】
請求項１５の方法であって、パイロット強度観測メッセージに応答してアップデートされたチャネル割り当てメッセージを送信する基地局をさらに具備する。
【請求項１７】
請求項１４の方法であって、チャネル割り当てメッセージに応答してトラフィックチャネルセットアップにある基地局へ認証メッセージを送信する移動局をさらに具備する。
【請求項１８】
休止パケットデータ通話をアクティベイトする再接続メッセージを基地局へ送信する移動局を具備する、ワイアレス通信システムにおける通話セットアップの方法。
【請求項１９】
請求項１８の方法、ここで、再接続メッセージは、１ラジオフレーム若しくはそれ以下の長さである。
【請求項２０】
請求項１８の方法、ここで、再接続メッセージは、基地局からのメッセージに応答して送信される。
【請求項２１】
基地局から受信したチャネル割り当てメッセージに続いて基地局へプリアンブルを直接送信する移動局を具備する、ワイアレス通信システムにおける通話セットアップの方法。
【請求項２２】
請求項２１の方法であって、規定された量のデータが、規定された時間の期間内に順方向リンク上で受信されない場合に、プリアンブル送信を終わりにする移動局をさらに具備する。
【請求項２３】
ワイアレス通信システムであって以下を具備する：
第１の局；及び
以前に取り決めたサービスパラメータの使用を指示するためのチャネル割り当てメッセージを第１の局へ送信するための第２の局。
【請求項２４】
請求項２３の装置、ここで、チャネル割り当てメッセージは、フラッグを具備する。
【請求項２５】
請求項２３の装置、ここで、チャネル割り当てメッセージは、アクティブセット及びアクティブセットのパラメータに関連したアクティブセット識別名を具備する。
【請求項２６】
ページングなしで移動局が終点の通話セットアップを開始するワイアレス通信システムであって、以下を具備する：
第１の局；及び
しきい値を超える強度で1若しくはそれ以上の追加のパイロット信号の第１の局の受信で条件付けられた第１の局からパイロット強度観測メッセージを受信するため、及びパイロット強度観測メッセージに基づいてアクティブセット情報を有する第１の局へチャネル割り当てメッセージを送信するための第２の局。
【請求項２７】
ページングなしで第１の局が終点の通話セットアップを開始するワイアレス通信システムであって、以下を具備する：
第２の局；及び
以前に使用したアクティブセット情報を有するチャネル割り当てメッセージを受信するため、及びしきい値を超える1若しくはそれ以上の追加のパイロット信号が受信される場合に、パイロット強度観測メッセージを第２の局へ条件付きで送信するための第１の局。
【請求項２８】
ネットワークに実施可能に接続されたワイアレス通信システムであって、以下を具備する：
第２の局；
通話セットアップの開始のためのショートデータバースト情報及びショートデータバースト情報の配信を含む開始メッセージを第２の局へ送信するための第１の局；及び
第２の局からショートデータバースト情報を受信するため、及びそれをネットワーク目的地へ送信するための第１のスイッチングセンタ。
【請求項２９】
ワイアレス通信システムにおいて通話をセットアップするために使用される装置であって、以下を具備する：
メモリ；及び
上記メモリに通信的に接続されたディジタル信号処理装置であって、このディジタル信号処理装置は、以前に取り決めたサービスパラメータの使用を指示するために第１の局から第２の局へチャネル割り当てメッセージを送信するための命令を実行することが可能である。
【請求項３０】
ワイアレス通信システムであって、以下を具備する：
信号を送信するための第１の手段；及び
第１の局から第２の局へチャネル割り当てメッセージを送信するための第２の手段であって、このチャネル割り当てメッセージは、以前に取り決めたサービスパラメータの使用を指示するために使用される。
【発明の詳細な説明】
【技術分野】
【０００１】
本発明は、一般に通信に係り、さらに詳しくは、ワイアレス通信システムにおける通話セットアップ待ち時間の減少に関する卓越した及び改善された方法及び装置に関する。
【背景技術】
【０００２】
ワイアレス通信システムは、音声、データ及びその他のような種々のタイプの通信を提供するために広く展開されている。これらのシステムは、コード分割多元アクセス（ＣＤＭＡ）、時間分割多元アクセス（ＴＤＭＡ）、若しくはある種の他の変調技術に基づくことができる。ＣＤＭＡシステムは、システム能力の増加を含む、他のシステムに対するある種の優位性を提供する。
【０００３】
ＣＤＭＡシステムは、（１）“デュアルモードワイドバンド拡散スペクトルセルラシステムに関するＴＩＡ／ＥＩＡ−９５−Ｂ移動局−基地局互換性標準”（ＩＳ−９５標準）、（２）“第３世代パートナーシッププロジェクト”（３ＧＰＰ）という名前のコンソーシアムにより提案された標準で、ドキュメント番号３Ｇ  ＴＳ  ２５．２１１、３Ｇ  ＴＳ  ２５．２１２、３Ｇ  ＴＳ  ２５．２１３、及び３Ｇ  ＴＳ  ２５．２１４を含むドキュメントのセットに組み込まれている（Ｗ−ＣＤＭＡ標準）、（３）“第３世代パートナーシッププロジェクト２”（３ＧＰＰ２）という名前のコンソーシアムにより提案された標準で、“ｃｄｍａ２０００拡散スペクトルシステムに関するＣ．Ｓ０００２−Ａ物理レイヤ標準”、“ｃｄｍａ２０００拡散スペクトルシステムに関するＣ．Ｓ０００５−Ａ上位レイヤ（レイヤ３）シグナリング標準”、及び“Ｃ．Ｓ００２４  ｃｄｍａ２０００高レートパケットデータエアーインターフェース仕様書”（ｃｄｍａ２０００標準）を含むドキュメントのセットに組み込まれている、及び（４）その他の標準のような、1若しくはそれ以上のＣＤＭＡ標準をサポートするために設計される可能性がある。これらの名前を挙げられた標準は、ここに引用文献として取り込まれている。
【０００４】
通話セットアップは、通信が始められるようにするために、移動局と基地局との間の専用の物理チャネルを設定する及びサービス設定パラメータを取り決めるプロセスである。通話セットアップ手順は、２つに分類される。移動局が始点の通話セットアップは、移動局ユーザが通話をする場合に発生する。移動局が終点の通話セットアップは、通話が移動局になされた場合に発生する。
【０００５】
通話セットアップ手順は、移動スイッチングセンタ（ＭＳＣ）若しくはパケットデータサービスノード（ＰＤＳＮ）、1若しくはそれ以上の基地局（ＢＳ）と、移動局（ＭＳ）との間のシグナリングを含む。ここで用いられたように、用語基地局は、用語アクセスポイントと互換的に使用することができる。用語移動局は、用語加入者ユニット、加入者局、アクセスターミナル、リモートターミナル、若しくはこの分野で周知のこの他の対応する用語と互換的に使用されることができる。用語移動局は、固定されたワイアレスアプリケーションを包含する。移動局からの信号は、逆方向リンク、逆方向チャネル、若しくは逆方向トラフィックとして知られる。移動局への信号は、順方向リンク、順方向チャネル、若しくは順方向トラフィックとして知られる。
【０００６】
図１は、ｃｄｍａ２０００標準のリリースＡに規定されたように移動局が始点の通話セットアップ手順を図示する。ステップ１において、移動局は、基地局へ開始メッセージ１を送信する。このメッセージは、移動局ユーザが通話を行いたいと希望していることをネットワークに指示する。それは、ダイアルされた数字、及び通話のタイプ（例えば、音声、データ、等）を指示するサービスオプション番号を含む。十分な強度で移動局において受信された隣接する基地局からのパイロット信号のリストも、このメッセージに含まれる。その結果、基地局は、アクティブセットにどのパイロットを含めるかを決定できる。
【０００７】
ステップ２において、開始メッセージ１を良好に受信すると、基地局は、移動局へ基地局承認命令２を送信する。このメッセージは、開始メッセージ１の受信を承認する。
【０００８】
ステップ３において、基地局は、ＭＳＣへ接続管理（ＣＭ）サービス要求メッセージ３を送信する。これは、ＭＳＣが通話をセットアップすることをトリガする。このメッセージは、開始メッセージ１で移動局から受信した関連する情報を含む。
【０００９】
ＭＳＣは、ステップ４において基地局へ承認要求メッセージ４で応答する。このメッセージは、基地局にラジオチャネルをセットアップすることを指示する。しかしながら、基地局は、開始メッセージ１が受信されると直ぐにラジオチャネルをセットアップするオプションを有する。
【００１０】
この図において注意するのは、以下に説明される図と同様に、他のメッセージ配信に関係してＭＳＣから基地局へ承認要求メッセージ４が配信される順番は、幾分か柔軟である。その柔軟性を制限するルールがある。承認要求メッセージ４は、ＣＭサービス要求メッセージ３（移動局が始点の通話セットアップに対して）若しくはページング応答メッセージ２５（後で説明される、移動局が終点の通話セットアップに対して）をＭＳＣが受信する後で、ＭＳＣから基地局へ送信される。承認要求メッセージ４は、後で説明される、基地局が移動局へサービス接続メッセージ１０を送信する前に来る。
【００１１】
ステップ５において、基地局は、移動局へチャネル割り当てメッセージ５を送信する。標準は、拡張チャネル割り当てメッセージをも規定する。ここで規定されたように、チャネル割り当てメッセージ５は、いずれかのメッセージをも表す。このメッセージは、通話に関連したユーザトラフィックを搬送する目的のために移動局への専用の物理チャネルを割り当てる。これは、移動局のアクティブセット中の全ての点に対する関連情報を含む。このステップの後で、移動局は、トラフィック状態４５０に入る。その状態及びその他を含む状態図は、図４を参照して以下に詳細に説明される。
【００１２】
ステップ６において、チャネル割り当てメッセージ６を受信し、そして順方向リンクにおいて２つの連続する良好なフレームを受信した後で、移動局は、基地局が移動局からの逆方向リンク信号を捕捉することを助けるためにプリアンブル(preamble)を基地局へ送信する。一旦、逆方向リンクが捕捉されると、基地局は、ステップ７において、移動局へ基地局承認命令７を送信する。基地局承認命令７を受信すると、移動局は、移動局が基地局によって送信された順方向リンクを捕捉したことを指示するために、ステップ８において、基地局へ移動局承認命令８を送信する。
【００１３】
これで、専用の物理チャネルは、良好にセットアップされた。ステップ９において、サービスネゴシエーション手順は、情報交換のフォーマットを決めるために移動局と基地局との間で行われる。ネゴシエーション項目の例は、フレームレート、フレームタイプ、送信レート、及びトラフィックのタイプ（例えば、音声若しくはデータ、適用できるのであればボコーダレート）を含む。ある項目は、基地局によって指定され、それゆえ、取り決めできない（すなわち、物理チャネルへの論理チャネルのマッピング）。ネゴシエーションは、移動局と基地局との間のサービス要求メッセージ及びサービス応答メッセージの複数交換を含む可能性がある。交換された情報は、サービス設定情報レコード中に含まれる。送信された最終のネゴシエーションメッセージは、ステップ１０において、基地局から移動局へのサービス接続メッセージ１０である。サービス設定情報レコード及び取り決めできないサービス設定情報レコードの両方が、送信される。標準は、サービスネゴシエーションが進行している間にラジオハンドオフが必要になる状況において、サービス接続メッセージに代わって送信される、一般ハンドオフダイレクションメッセージ若しくはユニバーサルハンドオフダイレクションメッセージも許容する。
【００１４】
ある場合には、サービスネゴシエーション、ステップ９、は、回避できる。移動局が、以前に記憶したサービス設定を使用するのであれば、基地局は、以前に記憶したサービス設定を使用することの指示を有するサービス接続メッセージ１０、ステップ１０、を単に送信する。標準では、ＵＳＥ＿ＯＬＤ＿ＳＥＲＶ＿ＣＯＮＦＩＧフラッグを‘０１’に設定することに対応する。
【００１５】
ステップ１１において、サービス接続メッセージ１０を受信すると、移動局は、提案されたサービス設定が受け入れられたことを指示するために基地局へサービス接続完了メッセージ１１を送信する。サービス接続完了メッセージ１１を受信すると、ステップ１２において、基地局は、基地局が通話を良好にセットアップしたことを指示するために、ＭＳＣへ割り当て完了メッセージ１２を送信する。
【００１６】
ステップ１０、サービス接続メッセージ１０、の後で、メッセージによって指定されたサービス設定は、効果を持つ。これで、通話セットアップは、完了し、移動局と基地局との間のユーザトラフィック（例えば、音声若しくはデータ）は、流れることができる。ステップ１２、割り当て完了メッセージ１２、の後で、トラフィックは、基地局とＭＳＣとの間で（音声通話に対して）若しくは基地局とＰＤＳＮとの間で（パケットデータ通話に対して）流れる。
【００１７】
図２は、ｃｄｍａ２０００標準のリリースＡに規定されたように、移動局が終点の通話セットアップ手順を図示する。第１に、ＭＳＣは、通話が移動局に入っていることを指示するために、基地局へページング要求メッセージ２１を送信する。第２に、一般呼び出しメッセージ２２は、基地局から移動局へ送信される。標準は、ユニバーサルページメッセージも認識する。その機能は、一般呼び出しメッセージ２２に類似している、そして、後の項は、いずれかのメッセージを指示するために一貫して使用される。このメッセージは、1若しくはそれ以上のセクタを介して送信されることができる。このメッセージは、通話及び通話に対応するサービスオプション番号を受信していることを移動局に指示する。
【００１８】
第３に、一般呼び出しメッセージ２２を受信すると、移動局は、開始メッセージ１において上述したことと同様にパイロットのリストを含む、ページング応答メッセージ２３を基地局へ送信する。その結果、基地局は、適切なアクティブセットを決定できる。第４に、ページング応答メッセージ２３を良好に受信すると、ＢＳは、上記の図１に関してステップ２で説明したように、基地局承認命令２を移動局へ送信する。このメッセージは、ページング応答メッセージ２３の受信を承認する。
【００１９】
第５に、基地局は、ＭＳＣへページング応答メッセージ２５を送信する。これは、ＭＳＣが通話をセットアップすることをトリガする。図２に示されたその後のステップは、図１に関して上述したステップ４から１２の同様に番号をつけたステップ及びメッセージに対応する。
【００２０】
たった今説明した通話セットアップ手順の各ステップは、通話セットアップ待ち時間に寄与する。通話セットアップ待ち時間、すなわち通話をセットアップするために必要な時間、は、データの使用がより一般に行われてくるにしたがい、ワイアレスシステム設計においてますます重要なパラメータである。現代のワイアレスデータ通信システムは、“常時オン”接続性を提供する。パケットスイッチトネットワーク設計に知識のある者が知っているように、“常時オン”接続性は、物理チャネルが特定のユーザに恒久的に専用化されていることを意味するのではない。これは、バンド幅が非効率的であり、加入者にとって好ましくないコスト効率である。その代わり、移動局がデータ通信に入った場合、通話は、1若しくはそれ以上のパケットが送信されることを可能にするためにセットアップされる。その後、通話は、他のユーザがチャネルを使用できるようにするためにトーンダウンする。代表的なデータ通信セッションにおいて、通話セットアップ待ち時間が各通話の間に生じることにともなって、通話は、繰り返しセットアップされ、トーンダウンされる。自然に、通話待ち時間が減少することは、音声通信において重要であると同様に、ワイアレスデータユーザに対して避けられないユーザ経験を与えるために、非常に重要である。
【００２１】
上述した各ステップは、各メッセージを送信するために必要な時間のために待ち時間の一部を、及び各メッセージを受信し適切な次のステップを決めるために必要な処理時間のために待ち時間の一部を導入する。さらに、通話セットアップシグナリングの多くは、多数の移動局及び基地局によって共有される共通チャネル上で生じる。そのようにして、共通チャネル（アクセスチャネルとして知られる）へのアクセスを得るために移動局が繰り返しアテンプトしなければならない場合、通話セットアップ待ち時間の構成要素は、導入される。さらに、特定の移動局に対するメッセージは、他の移動局に対するメッセージとともに順番に待たなければならない。そして、上述したステップを実施することで待ち時間のさらに他のソースとなる。それゆえ、通話セットアップ手順においてステップの数を減少することは、いずれかの残存するメッセージに関連した送信及び／若しくは処理時間を減少するので、通話待ち時間を減少するための１つの有効な手段である。
【００２２】
減少した待ち時間通話セットアップ手順の一例は、ＨＤＲ仕様に規定され、図３に図示される。そのようなシステムは、米国特許出願番号０９／７０７，５６９、題名“高データレート通信システムにおける順応性のある送信制御に関する方法及び装置”、２０００年１１月６日提出、に開示されている。これは、本発明の譲受人に譲渡され、ここに引用として含まれる。
【００２３】
図３は、図２に関して説明した手順と比較してステップを減少した移動局が終点の通話セットアップ手順を図示する。図２のメッセージ２２，２３及び２にそれぞれ対応する、必須のステップ２から４は、省略する。ＭＳＣからのページング要求メッセージ２１に応答して、基地局が一般呼び出しメッセージ２２を移動局へ送信する代わりに、基地局は、修正したチャネル割り当てメッセージ３０を送信する。チャネル割り当てメッセージ３０は、一般呼び出しメッセージ２２（図２のステップ２）及びチャネル割り当てメッセージ５（図２のステップ７）に置き換わる。これは、ページング応答メッセージ２３（図２のステップ３）及び基地局承認命令２（図２のステップ４）の必要性を削除する。これらの３ステップの省略は、通話セットアップ待ち時間を著しく低減する。
【００２４】
図３の手順のステップは、以下の通りである。最初に、ＭＳＣは、基地局へページング要求メッセージ２１を送信する。直前に説明したように、応答して、基地局は、ページング要求メッセージ２１で認識した移動局へチャネル割り当てメッセージ３０を、送信する。このメッセージを受信した後で、移動局は、トラフィック状態４５０に入る。順方向リンクにおいて２つの連続する良好なフレームを受信した後で、移動局は、基地局へプリアンブル６を送信する。基地局は、基地局承認命令７を移動局へ送信することによってプリアンブル６の捕捉を承認する。応答して、移動局は、移動局承認命令８を基地局へ送信する。基地局は、ＭＳＣが通話をセットアップすることをトリガするためにページング応答メッセージ２５をＭＳＣへ送信する。承認要求メッセージ４は、ＭＳＣから基地局へ配信される。以前に記憶したサービス設定を使用する指示によって軽減されない限り（すなわち、ＵＳＥ＿ＯＬＤ＿ＳＥＲＶ＿ＣＯＮＦＩＧを‘０１’に設定すること）、サービスネゴシエーション９が、その後、置き換わる。サービス接続メッセージ１０は、任意のネゴシエーションを終わらせるために基地局から移動局へ配信される。移動局は、サービス接続完了メッセージ１１とともにサービス接続メッセージ１０を受理する。基地局は、割り当て完了メッセージ１２で、通話がセットアップされたことをＭＳＣに知らせる。
【００２５】
サービス接続メッセージ１０の後で、メッセージによって指定されたサービス設定は、効果を持つ。これで、通話セットアップは完了し、移動局と基地局との間のユーザトラフィック（すなわち、音声若しくはデータ）は、流れることができる。図１に関連して上述したように、トラフィックは、ステップ１２、割り当て完了メッセージ１２、の後で、基地局とＭＳＣとの間（音声通話に対して）若しくは基地局とＰＳＤＮとの間（パケットデータ通話に対して）でも流れる。
【００２６】
図４は、移動局の状態図を図示する。示された状態は、通話セットアップを説明するために有用な一般的な状態である。そして、移動局が入ることができる全ての状態を表わしているのではない。さらに、全ての可能な状態の変化が示されているのではない。むしろ、本発明の多様な態様を議論するために有用なサブセットが、示されている。状態４１０は、起動状態であり、電源を入れたときに移動局が入る状態である。移動局は、その後、初期化状態４２０に進む。そこでは、移動局は、システムを捕捉することをアテンプトする。少なくとも1の基地局に対するシステムタイミングが一旦捕捉されると、移動局は、アイドル状態４３０に入る。ここでは、上述された一般呼び出しメッセージ２２若しくはチャネル割り当てメッセージ３０のような、移動局に向けられた任意のメッセージに対する呼び出しチャネルをモニタする。
【００２７】
アイドル状態４３０から、移動局は、多くの理由でシステムアクセス状態４４０に入ることができる。システムアクセス状態は、移動局が、基地局へアクセスチャネル（複数の移動局の間で共有される）において通信しようと望む場合に入る。システムアクセス状態に入り、アクセスチャネル上で通信する１つの理由は、移動局が、新しい通話境界に入った場合、若しくは起動したばかりで自身の場所を基地局に登録する必要がある場合である。他の理由は、上述した（モービルが終点の通話に対して）一般呼び出しメッセージ２２若しくはチャネル割り当てメッセージ３０に応答するためである。第３の理由は、上述した（モービルが起点の通話に対して）開始メッセージ１を送信するためである。通話セットアップ手順が始められるならば、上述したもののように、移動局は、良好な通話セットアップによってトラフィック状態４５０に進む。この状態は、上記の図１−３に示された。
【００２８】
登録が完了した（そして、通話セットアップが始まらない）場合、メッセージが終了し、移動局がアクセス状態に留まる必要がない場合、（他の移動局のアクセスに起因する混雑を含む理由で）移動局が共通アクセスチャネルにおけるアクセスを獲得することに失敗した場合、若しくは、基地局が送信されたメッセージを承認することに失敗した場合に、移動局は、アイドル状態４３０に再び入るためにシステムアクセス状態４４０を出る。さらに、アクセスを獲得することの失敗若しくは承認を受信することの失敗は、どのようにシステムが設計されているかに依存して、移動局を初期化状態４２０に復帰させることが可能である。それは、これらの失敗事実によって、応答しない基地局にさらにアテンプトを行うよりむしろ、異なる基地局を捕捉するためにアテンプトすることを勧められる。
【００２９】
移動局が、呼び出しを受信できない場合（新たな基地局が捕捉されることが必要であることを意味する）、若しくは移動局が、アイドルハンドオフを実施することを命令されている場合（すなわち、現在の基地局の共通チャネルのモニタリングを止めることを指示され、その代わりに隣接する基地局の共通チャネルを捕捉することを指示される）、アイドル状態４３０は、初期化状態４２０に向かって出る。
【００３０】
ワイアレス通信システムにおいて有用なことは、ショートデータバースト（ＳＤＢ）特性である。これが、アクセスチャネルにおいて移動局から基地局へ情報の小さなパケットをメッセージにエンカプセルされることを可能にする。それゆえ、トラフィック状態が、決して入られないため、完結した通話セットアップは、要求されない。そのようなＳＤＢ特性は、ｃｄｍａ２０００に明記されている。ＳＤＢ手順は、以下のように実行される。システムアクセス状態から、移動局は、ＳＤＢ情報パケットを含む基地局へデータバーストメッセージを送信する。基地局は、ＭＳＣへアプリケーションデータ配信サービス（ＡＤＤＳ）移動メッセージを送信する。これは、ＳＤＢ情報パケットをアプリケーションレイヤ情報（すなわち、ＳＤＢ、ショートメッセージングサービス（ＳＭＳ）、位置ロケーション、その他のようなパケットのタイプを認識する）を同様に含む。基地局は、移動局へ基地局承認命令を送信することによってデータバーストメッセージを承認する。ＭＳＣ（若しくはＰＤＳＮ）は、それによってパケットデータを発送する。
【００３１】
ＳＤＢの使用の一例は、インターネットプロトコル（ＩＰ）パケットがＳＤＢ情報にエンカプセルされる場合である。この場合では、ＭＳＣ若しくはＰＤＳＮは、インターネット若しくはイントラネット上のあて先へ、おそらくアプリケーションサーバへ、パケットを発送できる。ある場合には、アプリケーションサーバへ配信されたＳＤＢパケットは、サーバと移動局との間のデータ通信を開始するために働くことができる。これは、継続した通信のためにトラフィックチャネルがセットアップされることを最終的に要求できる。このような環境の下で、ＳＤＢメッセージは、図１を参照して説明したもののように、完結した通話セットアップ手順に引き継がれる。そして、前に述べたように、アプリケーションサーバと移動局との間の進行中の通信は、パケットデータ通信の性質の副産物である、多数の通話セットアップを必要とすることができる。この例は、通話セットアップ待ち時間を最小化する必要性をさらに浮き上がらせるために働く。
【００３２】
説明したように、通話セットアップ待ち時間は、多数のメッセージ送信及び対応する承認、各メッセージの長さ、及び各メッセージで要求される関連するプロセシングを通して形成される。通話セットアップ待ち時間は、多くの通信アプリケーション：データ通信と同様に音声通信、において好ましくない遅延の１つの原因である。多数の通話が、通信セッションの間にセットアップされなければならない限り、データを有する代表的なシナリオは、導入された遅延が悪化させる。それゆえ、通話セットアップ待ち時間を最小化することが通信システムに関するこの分野において必要である。
【発明の概要】
【００３３】
ここに開示された実施形態は、通話セットアップ待ち時間を最小にする通信システムに対する必要性を扱う。１態様では、チャネル割り当てメッセージは、以前に取り決めたサービスパラメータの使用を指示するフラッグとともに送信される。この態様は、サービスネゴシエーションメッセージの必要性を削除する。他の１態様では、チャネル割り当てメッセージは、アクティブセット及びそのパラメータの代わりにアクティブセット識別名とともに送信される。この態様は、チャネル割り当てメッセージの送信時間を削減する。さらに他の１態様では、ページングなしの通話セットアップは、アクティブな通信セッション間でパイロット強度観測メッセージを移動局が送信することによって容易になる。その結果、チャネル割り当てメッセージは、移動局をページングすること及び関連したメッセージに対する必要性なしに移動局が終点の通話セットアップに使用されることができる。さらに他の１態様では、移動局は、ショートデータバースト情報を送信でき、ショートデータバースト情報を含む開始メッセージを送信することによって通話セットアップを開始できる。この態様は、通話セットアップが追加のメッセージを送ることに対する必要性なしにショートデータバースト情報に続くことを可能にする。さらに他の１態様では、再接続メッセージは、休止パケットデータ通話をアクティベイトするために送信される。この態様は、特に、再接続メッセージが１のフレーム中に含まれる可能性がある場合に、送信時間及びメッセージエラーレートを削減する。さらに他の１態様では、プリアンブルは、チャネル割り当てメッセージに続いて、逆方向リンク上で直接送信される。この態様は、プリアンブルを送信する前に、順方向リンク状態を待つことによって導入された通話待ち時間を削除する。発明の多様な他の態様も、述べられた。これらの態様は、削減した通話セットアップ待ち時間の正味の結果とともに、削減されたメッセージ送信時間、削減された送信されたメッセージの数、関係する処理要求を低めること、及び追加した柔軟性を包括的に、高められた利点を生じる。
【００３４】
本発明は、詳細を以下に説明したように、多様な態様、実施形態、及び本発明の特性を実行する方法及びシステム素子を提供する。
【図面の簡単な説明】
【００３５】
【図１】図１は、モービルが始点の通話セットアップ手順を図示する。
【図２】図２は、モービルが終点の通話セットアップ手順を図示する。
【図３】図３は、ページングのないモービルが終点の通話セットアップ手順を図示する。
【図４】図４は、移動局状態図である。
【図５】図５は、多数のユーザをサポートするワイアレス通信システムであり、本発明の種々の態様を実行できる。
【図６】図６は、ページングなしで通話セットアップを可能にするために通話間でパイロット強度情報をアップデートするための方法を図示する。
【図７】図７は、ページングなしで通話セットアップを可能にするために通話間でパイロット強度情報をアップデートするための代わりの方法を図示する。
【図８】図８は、サービスネゴシエーションメッセージを使用しないでモービルが終点の若しくは始点の通話セットアップを実施するための方法である。
【図９】図９は、同時にショートデータバースト情報を送信し、通話を開始するための方法を図示する。
【図１０】図１０は、アクティブセット識別名をアクティブセットと関係させるための方法を図示する。
【図１１】図１１は、アクティブセット識別名を利用することによってチャネル割り当てメッセージ長を削減するための方法を図示する。
【図１２】図１２は、休止パケットデータコールの移動局が始点の再接続の方法を図示する。
【図１３】図１３は、休止パケットデータコールの移動局が終点の再接続の方法を図示する。
【図１４】図１４は、チャネル割り当てメッセージに応答してプリアンブルを中間的に送信するための方法を図示する。
【発明を実施するための形態】
【００３６】
本発明の特性、本質、及び利点は、図面を参照して以下に述べる詳細な説明からさらに明らかになるであろう。図面では、同様の参照符号は、一貫して対応するように識別する。
【００３７】
図５は、多数のユーザをサポートするワイアレス通信システム１００の図である。これは、発明の種々の態様を実行できる。システム１００は、1若しくはそれ以上の標準及び／若しくは設計（例えば、ＩＳ−９５標準、ｃｄｍａ２０００標準、ＨＤＲ仕様）をサポートするために設計できる。単純化のために、システム１００は、３つの移動局１０６と通信している３つの基地局１０４を含むように示される。基地局及びその交信範囲は、“セル”としてしばしば広く呼ばれる。各基地局１０４は、ＭＳＣ若しくはＰＤＳＮ１０２と通信する。ＭＳＣ若しくはＰＤＳＮ１０２は、パブリックスイッチト電話ネットワーク（ＰＳＴＮ）、インターネット若しくはイントラネット（図示してない）のような、ネットワークと通信できる。
【００３８】
移動局が終点の通話に関して、ｃｄｍａ標準のリリースＡは、移動局が（一般呼び出しメッセージ若しくはユニバーサルページングメッセージを介して）最初に呼び出されなければならないことを必要とする。その後、移動局が、システムアクセス状態からページング応答メッセージを送信する時に、基地局は、（チャネル割り当てメッセージを介して）チャネル割り当てを送信できる。システムアクセス状態においてチャネル割り当てを待っている間に、移動局は、ページングチャネルをモニタする。
【００３９】
図３を参照して上述したように、エンハンスメントは、アイドル状態の移動局へ直接チャネル割り当てを送信することによって、基地局がページングをバイパスすることを可能にする。これは、２つの利点を有する：移動局へ一般呼び出しメッセージ（若しくはユニバーサル呼び出しメッセージ）を送信する必要性を削除する、及び（呼び出し応答メッセージを送信するために）移動局による時間を浪費するアクセスのアテンプトに対する必要性を削除する。正味の効果は、通話セットアップ待ち時間が減少することである。
【００４０】
しかしながら、チャネル割り当てに先立って移動局をページングするいくつかの理由がある。１つは、ページング応答メッセージでパイロットレポートを受信することである。これは、アクティブセットを決定するために使用される可能性がある。移動局がトラフィックチャネルに残されてからの時間経過が小さい場合のような、ある場合には、以前に使用したアクティブセットが通話を維持するために十分であると思われる。アップデートが要求されるそのような場合に対しては、ページングの代替案が使用できる。以下のものは、良好なトラフィックチャネル動作間で発生している変化に応答してアクティブセットをアップデートするための情報を提供する２つの方法である。
【００４１】
１実施形態が、図６に示される。移動局は、アップデートが必要であると判断する場合には、アイドル状態４３０にある。例えば、移動局は、パイロットがアクティブセットに追加される必要があることを判断できる。これが、システムアクセス状態４４０に進み、そしてパイロット強度観測メッセージ（ＰＳＭＭ）６１０を基地局へ配信する。このメッセージ送信に引き続いて、移動局は、アイドル状態４３０へ戻る。ＰＳＭＭ６１０は、基地局がアクティブセットをアップデートするために必要である情報（すなわち、移動局によって観測されるパイロット強度）を含む。その後、要求された基地局が、アップデートされたアクティブセット中にあるため、図３に説明したように、基地局は、通話セットアップを自由に実施する。アクセスチャネルにおけるシグナリングを削減するために、大きなアクティブセットは、良好な通信を決して除外しないこという理由で、ＰＳＭＭ６１０は、アクティブセットからメンバーを落とすために送信される必要がない。一旦、移動局がそのトラフィックチャネルに割り当てられると、移動局は、アクティブセットからメンバーを削除するために、トラフィックチャネルにおいて基地局に信号を送ることができる。過剰なアクセスチャネルシグナリングを制御する他の１手段は、１回に１の移動局のサブセットにだけＰＳＭＭ６１０アップデーティング手順を可能にすることである。
【００４２】
代わりの実施形態は、アクセスチャネルへ追加のシグナリングを追加することを回避し、最大遅延が増加することとトレードオフであるが平均アクセス遅延を減少する。図７に図示されたこの実施形態では、アクティブセットは、良好な移動局トラフィックチャネル動作の間ではアップデートされない。新しい通話を開始するために、図３の手順で説明したように、基地局は、チャネル割り当てメッセージ３０を移動局へ送信する。判断ブロック７１０において、移動局は、現在のアクティブセットが正しいかどうかを判断する。もしそうであれば、その後、通話セットアップ手順はブロック７５０に継続される。上記したように、状況は、多くの通話に対してアクティブセットが一定値に留まる可能性が高いようである場合には、その後、しばしば通話セットアップ手順は、遅延の増加なしに流れる。そして、図６の実施形態が導入する可能性がある余分なアクセスチャネルシグナリングは、回避される。
【００４３】
アクティブセットがアップデートされることが真に必要であるという状況において、その後、判断ブロック７１０において、移動局は先へ進み、アクセスチャネル上で基地局へＰＳＭＭ７２０を送信する。ＰＳＭＭ７２０は、ＰＳＭＭ６１０と同様の情報を含むことができる。ブロック７３０において、基地局は、アクティブセットを再設定する。その後、移動局へアップデートされたチャネル割り当てメッセージ７４０を送信する。そしてその後、通話セットアップは、ブロック７５０に継続することができる。ブロック７２０から７４０に説明された、この追加のシグナリングは、図３のセットアップ手順に比較して追加の遅延を導入する。
【００４４】
システム設計者は、可能性のあるアクティブセットの変更に基づいて全体の通話セットアップ待ち時間を最小にするために望まれるように、図６の実施形態、図７の実施形態、若しくは両者の組み合わせを採用することができる。説明したように、図６において説明したアクセスチャネルにおける追加のシグナリングは、図７の手順で最大通話セットアップ時間を増加する（しかし、平均通話セットアップ時間は減少する）チャンスとトレードオフとすることができる。アクティブセットが正しい可能性が高い場合に、この方法は、平均アクセス時間を減少するために使用されることができる。しかしながら、最大遅延は、（アクティブセットがアップデートされなければならない状況のために）増加される可能性がある。
【００４５】
１例として、基地局は、移動局に対して図６の手順を可能にすることができる。移動局の移動は、種々の隣接する基地局の受信したパイロット強度に多くの変化を導入する。そして、図６の手順を無効にでき、固定された若しくは頻繁には動かない加入者ユニットに対して、図７の偶然に増加した最大遅延を選択する。他のオプションは、移動局による前のアクセスからの時間経過に基づいて、どちらの通話セットアップ手順を使用するかを、基地局が決定できることである。時間経過が小さいのであれば、移動局は、同一のセクタにある可能性が高く、図３、６、若しくは７で説明したもののような遅延を削減した手順が、適切である。時間経過がしきい値より大きければ、基地局は、図２で説明したもののような、ページングを含む通話セットアップ手順を使用すると判断できる。
【００４６】
ｃｄａｍ２０００標準のリリースＡでは、ページング応答メッセージ２３は、認証値、ＡＵＴＨ＿Ｒ、を配信するために使用することもできる。移動局の認証は、基地局と移動局との間の共有シークレット及びＡＵＴＨ＿Ｒを生成する無作為の番号に基づく認証アルゴリズムを実施することによって達成される。ＡＵＴＨ＿Ｒは、移動局及び基地局の両者において計算される。そして、基地局は、移動局が認証されたことを確認するために、移動局から適合するＡＵＴＨ＿Ｒを受信しなければならない。当然に、ページング応答メッセージ２３が削除されるのであれば、代わりのメカニズムが、認証のためにＡＵＴＨ＿Ｒを配信するために導入されなければならない。１つの代替案は、移動局に対してトラフィックチャネルにおいてＡＵＴＨ＿Ｒを配信することである。ＡＵＴＨ＿Ｒの計算が、ある時間かかる可能性があることから、この代替案は、通話セットアップ手順の残りと並行して生じる計算を可能にする付加的な利点を有する。認証応答は、一旦通話セットアップが完了すると、トラフィックチャネルにおいて配信される。トラフィックチャネルにおける認証が失敗するならば、サービス接続メッセージが送信される前に、ユーザトラフィックは流れることができないので、通話は、直ちに解除される可能性があることに注意する。この技術は、ページングなしでチャネル割り当てを可能にする。それゆえ、通話セットアップ待ち時間を削減する。
【００４７】
リリースＡｃｄｍａ２０００システムにおいて、専用のチャネルが通話をセットアップする目的のために設定される毎に、移動局及び基地局は、ユーザを交換するため及び情報をシグナリングするために使用されるサービス設定パラメータについて（サービスネゴシエーションを介して）合意されなければならない。上述したように、専用のトラフィックチャネルを解除しアイドル状態に入ると、移動局及び基地局は、相互に合意されたサービス設定（すなわち、サービス設定情報レコード及び取り決めできないサービス設定情報レコード）を記憶することを可能にする、能力が存在する。この記憶された設定は、専用のチャネルが再設定されると再び記憶されることができる。このようにしてサービスネゴシエーションの実行を回避する。これは、通話セットアップ待ち時間を減少する。しかしながら、専用のトラフィックチャネルを設定すると、移動局が記憶したサービス設定を使用することを指示するサービス接続メッセージを、基地局が送信することを、リリースＡは、まだ要求する。サービス接続メッセージは、サービスネゴシエーションメッセージの分類に属する。
【００４８】
図８は、サービスネゴシエーションメッセージを省略し、そのようにして、通話セットアップ待ち時間を減少する、通話セットアップ手順の１実施形態を図示する。この実施形態において、（上述した）ＵＳＥ＿ＯＬＤ＿ＳＥＲＶ＿ＣＯＮＦＩＧフラッグは、チャネル割り当てメッセージ８１０に含まれる。このフラッグが‘０１’に設定される場合、その後、ネゴシエーションステップ（すなわち、図１−３のステップ９）は、要求されない。さらに、フラッグがチャネル割り当てメッセージ８１０に含まれるので、サービス接続メッセージ及びサービス接続完了メッセージ（図１−３のそれぞれ１０及び１１）も、省略される。これらのメッセージの送信を省略することによる遅延時間の削減に加えて、それらに関連した処理時間も、削除される。他の利点は、移動局及び基地局が、記憶されたサービス設定を直ちに再記憶できることであり、専用のトラフィックチャネルが設定されると直ぐに、ユーザトラフィックを交換することを開始することである。正味の効果は、通話セットアップ待ち時間が削減されることである。
【００４９】
以下は、図８に図示された実施形態の方法のより詳細な説明である。この実施形態は、モービルが始点の若しくはモービルが終点の通話セットアップ手順のいずれにも適用できる。第１ステップとして、開始メッセージ１若しくはページング応答メッセージ２３は、それぞれ、通話が、モービルが始点であるか若しくはモービルが終点であるかに依存して、移動局から基地局へ送信される。基地局は、移動局に基地局承認命令２を送信することによって応答する。基地局は、その後、通話が、モービルが始点であるか若しくはモービルが終点であるかに依存して、それぞれ、接続管理サービス要求メッセージ３若しくはページング応答メッセージ２５のいずれかでＭＳＣへ通信する。基地局は、その後、ＵＳＥ＿ＯＬＤ＿ＳＥＲＶ＿ＣＯＮＦＩＧフラッグを含むチャネル割り当てメッセージ８１０を移動局へ送信する。このフラッグは、基地局がサービスネゴシエーションステップを回避しようとする時、及び、以前に記憶された設定が適切であると判断する場合はいつでも設定される。このステップの後で、移動局は、トラフィック状態４５０に入る。
【００５０】
残りのステップは、少し前に説明したサービスネゴシエーションステップの省略以外は、以前に説明した通話セットアップ手順と同様である。順方向リンクにおいて２つの連続する良好なフレームを受信すると、移動局は、基地局へプリアンブル６を送信することを開始する。ＭＳＣは、基地局へ承認要求メッセージ４を送信する。（以前の設定が再設定されるので、その中でＭＳＣが承認要求メッセージ４を送信する命令は、重要でない。）基地局は、基地局承認命令７を移動局へ送信する。移動局は、移動局承認命令８で基地局に応答する。その時点で、トラフィックは、基地局と移動局との間で流れ始めることができる。最後に、基地局は、ＭＳＣへ割り当て完了メッセージ１２を報告する。（その時点で、トラフィックは、基地局とＭＳＣとの間で流れる。）
リリースＡによって指定されたように通話セットアップ手順では、移動局からサービス接続完了メッセージ１１を受信するときだけ、割り当て完了メッセージ１２は、基地局からＭＳＣへ送信される。しかし、図８の実施形態においては、割り当て完了メッセージ１２は、専用の１つのチャネル若しくは複数のチャネルを設定し、移動局からＭＳ承認命令を受信すると、直ちにＭＳＣへ送信されることができる。このようにして、ネットワーク側の接続セットアップは、ある程度、エアーインターフェース接続セットアップを並行して発生することができ、さらに通話セットアップ待ち時間を削減する。
【００５１】
ある環境において、一旦サービスネゴシエーションが必要になると判断すると、以前に記憶したサービス設定を廃棄することは移動局にとって好ましい。例えば、リリースＡは、早期チャネル割り当て特性を明記する。その中で、基地局は、移動局へのチャネルを盲目的に割り当てることによって開始メッセージに応答する。チャネル割り当てメッセージ８１０が使用されるのであれば、メッセージが送信される時に、古いサービス設定が使用されることができるかも知れないことを、基地局は、未だ知らない可能性がある。このような環境においては、ＵＳＥ＿ＯＬＤ＿ＳＥＲＶ＿ＣＯＮＦＩＧ＝‘０１’フラッグを含んでいるサービス接続メッセージ１０が既に到着する可能性があり、サービスネゴシエーション９が既に回避される可能性があるので、移動局は、以前の設定情報を保持するはずである。この問題に向けられる１方法は、たとえ、チャネル割り当てメッセージ８１０が、フラッグが以前の設定を使用することを設定することなしで受信されても、記憶された以前の設定を移動局が保持することである。サービスネゴシエーションが始まる場合にだけ、移動局は、以前のデータを廃棄できる。
【００５２】
代替案は、ＵＳＥ＿ＯＬＤ＿ＳＥＲＶ＿ＣＯＮＦＩＧフラッグに追加の値を加えることである。例えば、チャネル割り当てメッセージ８１０が、以前に記憶された設定が有効であることを指示するフラッグとともに送信されるのであれば、明らかに、移動局は、それを廃棄しない。基地局が以前の設定が有効であるかどうかを知らなかった場合には、このケースは、生じない。その場合において、追加のフラッグの値は、以前の設定が有効であるか否かを未だ分からないことを指示するために、送信されるはずである。この点において、移動局は、データを保持する、そして、サービスネゴシエーションが要求されるまで廃棄することを待つ。最後に、早期チャネル割り当てでない場合、そして基地局は、以前の設定がもはや適当でないことを知る場合、フラッグ値は、サービスネゴシエーションが必要であるように、移動局がデータを廃棄することが自由であることを指示することを送信できる。
【００５３】
他の1実施形態は、上述したショートデータバースト（ＳＤＢ）特性に関連して通話セットアップ待ち時間を扱う。移動局が、通信を介して大量の情報を送信する必要があり、そして、それゆえ、データを搬送する専用のチャネルを必要とするアプリケーションがある。これは、勿論、通話セットアップ手順を必要とする。以前に注意したように、ＳＤＢは、完全な通話セットアップを実施しないで、共通チャネルにおいて少量のデータを送信するメカニズムを提供する。
【００５４】
ネットワーク側における動作の開始を促進するために、移動局は、先ず（ネットワーク動作をトリガするために）ＳＤＢ特性を使用して、共通チャネルを介して少量の情報を送信することができる。引き続いて、１若しくは複数の専用チャネルが、大量のデータを送信するためにセットアップできる。リリースＡに規定された手順にしたがって、前者は、１の共通チャネルアクセス及びその後のデータバーストメッセージの送信を必要とし、他の1アクセス及びその後の開始メッセージの送信が続く。すなわち、２つの時間を浪費するアクセスアテンプトが、必要である。
【００５５】
図９の実施形態では、移動局は、専用のチャネルをセットアップするために、基地局に向けられた開始メッセージ９１０にＳＤＢ情報を含めることによって、通話セットアップ手順及びＳＢＤの実施を同時に開始できる。基地局は、その後、ＳＤＢ情報及びＳＤＢとしてデータを認識するデータタイプインディケータを含むアプリケーションデータ配信サービス（ＡＤＤＳ）転送／ＣＭサービス要求メッセージ９２０を送信する。付け加えると、ＣＭサービス要求メッセージの機能性は、ネットワーク上で余分なメッセージを削除するためにこのメッセージに含まれることができる。その後、ブロック９３０において、上述した種々の方法の１にしたがった通話セットアップは、進めることができる。
【００５６】
このようにして、開始メッセージに対するアクセスがうまくいった場合、ネットワークは、適切なネットワークエンティティにＳＤＢの内容を転送できる。一方で、専用のトラフィックチャネル設定の残りは、未だ進行中である。これは、いくつかの利点を有する。これは、追加の時間を浪費するアクセスアテンプトの必要性を削除し、基地局とＭＳＣとの間のＡＤＤＳ転送メッセージを削除する。ネットワーク動作及び専用チャネルのエアーインターフェースの設定は、並行して発生する。移動局におけるプロセシングは、単純化される。正味の効果は、通話セットアップ待ち時間が削減されることである。
【００５７】
さらに他の代替案は、開始メッセージを生成することである。それは、ＳＤＢ情報を配信すると同様に、前のサービス設定を再記憶する要求を含む可能性がある。これらの方法が、上述した通話セットアップ手順のいずれかを採用できることは、この分野に知識がある者に明らかであろう。
【００５８】
代わりの実施形態では、図１２に示されたように、短い版の開始メッセージ、ここでは再接続メッセージ１２３０と呼ぶ、が採用される。再接続メッセージ１２３０は、休止パケットデータ通話を再接続するために最小限の必要なフィールドを搬送する。以下に詳細に述べるように、そのようなフィールドの数は、比較的小さい。ネットワークが始点の休止通話の再接続の場合に関して、この再接続メッセージ１２３０は、ページング応答メッセージ２３の代わりに使用できる。フィールドの大きなセットが必要な場合に、１若しくは９１０のような現在の開始メッセージ、若しくはページング応答メッセージ２３は、まだ使用できることに、注意する。
【００５９】
パケットデータ通話は、３つの状態：ヌル、休止及びアクティブ、を使用して説明できる。例え、頻繁に状態を変化する可能性があるけれども、パケットデータ接続は、いつまでも続くことができる。パケットデータ接続が最初に設定される場合、ヌル状態から生成される。音声通話を設定することと同様に、全ての関連するパラメータは、取り決められ、そして合意されなければならない。一旦、通話が生成されると、上述したトラフィック状態と同様に、アクティブ状態に入る。アクティブ状態において、物理チャネルは設定され、そして、データは、移動局と基地局との間で流れる。時々、データがどちらの方向にも流れないので、パケットデータ接続は、もはやアクティブである必要がない。この時点で、物理チャネルはトーンダウンし、そしてパケットデータ通話は、休止状態に入る。
【００６０】
パケットデータ接続が休止状態にある間に、サービス設定情報は、移動局及び基地局の両方に記憶されることができる。さらに、プロトコル状態も、移動局及びＰＤＳＮに記憶される。例えば、ポイント−ツ−ポイントプロトコル（ＰＰＰ）が使用されるならば、ＩＰアドレス等のような、それの状態は、通話がアクティブから休止へ切り替わる間留まる。物理チャネル自身だけが、他のユーザに対するリソースを空き状態にするために解放される必要がある。それゆえ、休止通話を再接続する場合、開始メッセージ中のフィールドの小さなサブセットだけが、要求される。パケットデータ通話の使用が増加すると、システム中での通話セットアップ開始の割合は、休止パケットデータサービスをアクティブ状態に戻すことに関連する。
【００６１】
リリースＡ開始メッセージは、音声、回路スイッチされたデータ、パケットスイッチされたデータ、等を含む種々の通話タイプを開始するために設計された。そのようにして、各タイプの通話セットアップに要求されるフィールドのスーパーセットであるフィールドを含む。休止パケットデータ通話を再接続することについては、開始メッセージ中のフィールドは、３つのクラスに分類されることができる：不必要である、必要である可能性がある、若しくは必要である。不必要であるフィールドの例は、音声通信に特有である。ある場合には、あるパラメータは、前の通話セットアップにおいて取り決められており、そうして、それらは、必要がない可能性があるフィールドの例である。記憶されたパラメータセットが、これから使用されることを指示するように、ＳＹＮＣ＿ＩＤフィールドは、必要なフィールドの例である。容易に見られるように、不必要であるこれらのフィールドを削除する再接続メッセージ１２３０は、リリースＡ開始メッセージより著しく小さいであろう。
【００６２】
この実施形態が展開される場合、再接続メッセージ１２３０は、単一のフレームにおいてしばしば送信されることができ、多数の利点に帰着する。１つの利点は、送信時間が減少することである。他の利点は、現在はフレームエラーレートに等しいメッセージエラーレートが、減少することである。これらの利点の両者は、休止パケット通話の再接続に関連する通話セットアップ待ち時間を減少する結果になる。
【００６３】
図１２は、移動局が始点の休止通話再接続の１実施形態を図示する。ステップ１２１０では、以前のパケットデータ通話が、ヌル状態からであるか若しくは休止状態からの再接続であるかのいずれかで設定される。通話は、ステップ１２２０においてアクティブから休止へ進む。移動局が、通話が再接続されるべきであると判断する場合、基地局へ再接続メッセージ１２３０を送信する。メッセージは、上述したように、接続を再設定するために最小限必要なフィールドを含む。このメッセージは、図１及び９に関連して上述したように、それぞれ、１若しくは９１０のような、開始メッセージと置き換わる。ここに開示した方法の１つにしたがって、再接続メッセージ１２３０が送信された後で、通話セットアップは、ステップ１２４０に続く。
【００６４】
図１３は、移動局が終点の休止通話再接続の１実施形態を図示する。ステップ１２１０から１２４０は、ステップ１３００が休止状態１２２０と再接続メッセージ１２３０との間に挿入されていることを除いて、図１２に関して直前に説明したステップと同じである。ステップ１３００で、基地局が通話を開始する。ここで開示した手順の１つにしたがって、基地局は、ステップ１３００において、通話の再接続を開始する。そして、移動局は、上述したように、ページング応答メッセージ２３の代わりに、再接続メッセージ１２３０で応答する。
【００６５】
他の１実施形態は、上述したチャネル割り当てメッセージ５，３０、若しくは８１０のような、チャネル割り当てメッセージの長さによって、導入される通話遅延を取り扱う。ｃｄｍａ２０００標準のリリースＡでは、専用のチャネルが、チャネル割り当てメッセージを介して設定される各回毎に、基地局は、このメッセージ中で完了したアクティブセットを指定しなければならない。アクティブセットは、多くのパイロット及び以下のものを含む要求されたパラメータからなる：パイロットＰＮシーケンスオフセットインデックス、パイロットのタイプに対応するパイロットレコード、インディケータを統合するパワー制御シンボル、基本チャネルに対するコードチャネルインデックス、基本チャネルに対する擬似直交関数マスクインディケータ、専用の制御チャネルに対するコードチャネルインデックス、及び専用の制御チャネルに対する擬似直交関数マスクインディケータである。パイロットレコードは、以下のものを含む：送信ダイバーシティ（ＴＤ）送信出力レベル、送信ダイバーシティーモード、予備／送信ダイバーシティパイロットに対するウォルシュコード、予備／送信ダイバーシティパイロットに対する擬似直交関数インデックス、及び予備送信ダイバーシティパイロット出力レベルである。これらのパラメータは、著しい数のバイトになる可能性がある。これらのパラメータの各々は、（次のフレームに延びるメッセージを生じるであれば）それらを送信するために必要な時間、及び移動局がそれらを処理するための処理時間のために遅延を導入する可能性がある。
【００６６】
図１０及び図１１に図示された方法を備える実施形態は、アクティブセット及び関連するパラメータを認識するためにアクティブセット識別名を利用する。上述したように、メンバーとアクティブセットパラメータの完全なリストを指定する代わりに、基地局は、個々の設定に対応するアクティブセット識別名を単に指定する。この技術は、チャネル割り当てメッセージの長さを削減でき、以下の利点を有する：チャネル割り当てメッセージ送信時間の削減及びチャネル割り当てメッセージが誤って受信される可能性の削減である。正味の効果は、通話セットアップ待ち時間が削減されることである。アクティブセットパラメータのあるものは、変えられた可能性があるため、代替案は、基地局に対してアクティブセット識別名プラス変えられたこれらのパラメータを送信することであることに注意する。この代替案の実施形態は、アプリケーションの広い変形で使用するために自身に与えることができる柔軟性を付加する。
【００６７】
直前に説明した実施形態は、図１０、図１１若しくは両方に図示した方法のいずれかを備えることができる。図１０の方法は、１つのアクティブセット識別名を特定のアクティブセットに割り当てる１方法を図示する。ブロック１０００では、通話セットアップ手順が、処理中である。基地局は、その後、全てのアクティブセット及びパラメータを含んでいるチャネル割り当てメッセージ１０１０を移動局へ送信する。さらに、チャネル割り当てメッセージ１０１０は、移動局がそのアクティブセットと関連する可能性があるアクティブセット識別名を含む。ブロック１０２０において、通話セットアッププロセスは継続する。アクティブセット識別名をアクティブセットに割り当てる代わりの方法は、そのようなアクティブセット／アクティブセット識別名の組を、それらを使用しようとしている通信の前に、基地局が移動局へダウンロードすることである。
【００６８】
図１０で説明したような方法を使用して、一旦、アクティブセット識別名がアクティブセットに割り当てられた場合に、アクティブセット識別名を利用する方法を、図１１は示す。ブロック１１００では、通話セットアップ手順は、進行中である。基地局は、アクティブセット識別名を含んでいるチャネル割り当てメッセージ１１１０を移動局へ送信する。移動局が、アクティブセットのメンバー及びアクティブセット識別名に対応する各メンバーの対応するパラメータを知っているので、アクティブセット識別名は、チャネル割り当てを実施するために十分である。あるいは、アクティブセット識別名に関連するパラメータが変化した場合に、メッセージ１１１０は、変更されたパラメータとともにアクティブセット識別名を含むことができる。通話セットアップ手順は、ブロック１１２０に継続する。移動局及び基地局は、アクティブセット設定及びそれに対応するアクティブセット識別名が、ＳＹＮＣ＿ＩＤの有効性に関するｃｄｍａ２０００標準に指定されたメカニズムを使用して、移動局と基地局との間を同期させていることを確認する。ｃｄｍａ２０００標準は、記憶されたサービス設定を再記憶する方法である。
【００６９】
同様な技術は、ＰＳＭＭ６１０及びＰＳＭＭ７２０のメッセージの長さをそれぞれ減少するために、図６及び図７に説明された方法とともに採用されることができる。パイロット識別名は、多数のパイロット設定のそれぞれに関連することができる。その結果、移動局が現在認識されたパイロット設定の１つで基地局をアップデートするので、１つの識別名だけが送信される必要がある。しかし、パイロット強度が、多くの値をとることができ、それゆえ、１つの識別名と関連することが困難である可能性のため、起きる可能性が少ない。
【００７０】
他の１の代替方法は、アクティブセットの各メンバーに対して識別名（及びその関連パラメータ）を割り当てることである。この技術を使用すると、複数の識別名が、複数のメンバーを表すためにチャネル割り当てメッセージ１１１０に含まれることになる。これは、少し長いメッセージになるよりグラニュラー(granular)なアプローチを提供する。しかし、多数のアクティブセットが、記憶されたメンバー設定の比較的小さなセットの組み合わせを使用して認識できることにより大きな柔軟性を可能にする。基地局は、直前に説明したこれらの技術の組み合わせを使用できる。これらの技術は、各々の送信されたチャネル割り当てメッセージ１１１０に付随する全体の送信時間を減少するために、組み合わせて展開できる。これらの方法が、ここで説明した通話セットアップ手順のいずれでも採用できることは、この分野に知識のある者に明らかである。この方法は、アクティブセットが含まれている全てのメッセージに利用できることに注意する。他の１例は、ユニバーサルハンドオフディレクションメッセージを含む。ここで、この方法を採用することは、メッセージのサイズを減少でき、それゆえ、同様にメッセージエラーレートを削減する。
【００７１】
図１４に示された、他の１実施形態では、通話セットアップ待ち時間は、上述した、５，３０，８１０，１０１０、若しくは１１１０のようなチャネル割り当てメッセージに応答して、プリアンブル６を直ちに送信することによって削減できる。上記したように、リリースＡは、逆方向リンクをイネーブルし、プリアンブルを送信する前に、順方向リンクにおいて２つの連続する良好なフレームを受信するために、移動局は待機することが必要である。移動局が、１秒以内に２つの連続する良好なフレームを受信しなければ、通話セットアップをあきらめなければならない。２フレームが４０ミリ秒に対応し、フレーム境界を待機するためにさらに０から２０ｍｓを要するため、プリアンブルを送信する前に移動局が待機しなければならない最小の時間は、４０から６０ミリ秒である。
【００７２】
この実施形態では、通話セットアップは、ステップ１４００において進行中である。基地局は、その後、図１４に５として記したように、チャネル割り当てメッセージを送信する。しかし、上述した３０，８１０，１０１０、若しくは１１１０のようないずれかのチャネル割り当てメッセージでもよい。応答して、移動局は、直ちに逆方向リンクをセットアップし、順方向リンクにおいて良好なフレームを受信するために待機しないで、プリアンブル１４１０の送信を開始する。その後、ステップ１４２０において、通話セットアップは、ここで説明したような各種の通話セットアップ手順にしたがって継続する。移動局は、良好なフレームに対して順方向リンクをモニタし続けることができ、そして、良好なフレームの数が、規定の時間フレーム内に受信されないのであれば、終わらせることができる。例えば、移動局は、リリースＡで説明したように、１秒以内に２つの連続する良好なフレームを待ち受けることができる。あるいは、他のユーザに対する干渉を減らすために、必要な数の良好なフレームが、規定のタイムピリオド内に受信されないのであれば、移動局は、プリアンブルを切ることができる。このタイムピリオドは、良好なフレームが到着するために許容されたタイムピリオドより短い可能性がある。それゆえ、良好なフレーム要求が、第１のタイムピリオド内に満足されないのであれば、移動局は、プリアンブルを送信することを中止できる。しかし、第２のタイムピリオド内で良好なフレームに対し順方向リンクをモニタし続ける。良好なフレームが最後に到着すれば、移動局は、応答してプリアンブルを送信し始める。この代替技術は、良好なフレームが遅く現れる若しくは到着しないいずれかの状況において、他のユーザに対する干渉を減らすために使用できる。プリアンブルステップ１４１０は、ここで説明したいずれの実施形態においてもプリアンブルステップ６に置き換えられることに注意する。
【００７３】
リリースＡの方法と対照的に、通話が最後に打ち切られる場合であっても、移動局は、少なくとも時間のある期間の間、逆方向リンクにおいて送信する。このような状況おいて、他のユーザに対する干渉レベルは、増加した他のユーザの干渉に関係する全て有害な効果をともなって、わずかに増加する可能性がある。しかしながら、多くの場合には、順方向リンクにおいて良好なフレームを受信する可能性は高く、この実施形態を使用することは、全てのそれに関係する利点とともに、通話遅延を削減する。これは、終わらせることができない通話に対する逆方向リンクを時々セットアップすることの有害な効果より重要である。
【００７４】
上述したすべての実施形態において、方法のステップは、本発明の範囲から逸脱しないで互換できることに注意する。
【００７５】
情報及び信号は、種々の異なる技術及び技法のいずれかを使用して表すことができることを、この分野に知識のある者は、理解するであろう。上記の説明を通して参照される可能性がある、例えば、データ、指示、命令、情報、信号、ビット、シンボル、及びチップは、電圧、電流、電磁波、磁場若しくは磁粒、光場若しくは光粒子、若しくはこれらの任意の組み合わせによって表されることができる。
【００７６】
ここに開示した実施形態に関連して説明された各種の解説的な論理ブロック、モジュール、回路、及びアルゴリズムステップが、電子ハードウェア、コンピュータソフトウェア、若しくは両者の組み合わせとして実施できることを、知識のある者は、さらに価値を認めるであろう。ハードウェア及びソフトウェアのこの互換性をはっきりと説明するために、各種の例示的な構成部品、ブロック、モジュール、回路、及びステップは、一般的に機能性の面からこれまでに記述されてきた。そのような機能性が、ハードウェア若しくはソフトウェアとして実行されるか否かは、個々のアプリケーション及びシステム全体に課せられた設計の制約に依存する。熟練した職人は、説明された機能性を各個々のアプリケーションに対して違ったやり方で実施することができる。しかし、そのような実施の決定は、本発明の範囲から離れては説明されない。
【００７７】
ここに開示された実施形態に関連して述べられた、各種の解説的な論理ブロック、モジュール、及び回路は、汎用プロセッサ、デジタルシグナルプロセッサ（ＤＳＰ）、アプリケーションスペシフィック集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェア素子、若しくはここに記述した機能を実行するために設計されたこれらの任意の組み合わせで、実行若しくは実施できる。汎用プロセッサは、マイクロプロセッサであってよく、しかし代替案では、プロセッサは、いかなる従来のプロセッサ、コントローラ、マイクロコントローラ、若しくはステートマシン(state machine)であってよい。プロセッサは、演算装置の組み合わせとして実行されることができる。例えば、ＤＳＰとマイクロプロセッサの組み合わせ、複数のマイクロプロセッサ、ＤＳＰコアと結合した１若しくはそれ以上のマイクロプロセッサ、若しくはそのような任意の他の構成であってよい。
【００７８】
ここに開示された実施形態に関連して述べられた方法若しくはアルゴリズムのステップは、ハードウェアにおいて、プロセッサにより実行されるソフトウェアモジュールにおいて、若しくは、両者の組み合わせにおいて直接実現される可能性がある。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、脱着可能なディスク、ＣＤ−ＲＯＭ、若しくは、この分野で知られている他の任意の記憶媒体の中に存在できる。あるイグゼンプラリな記憶媒体は、プロセッサに接続され、プロセッサが記憶媒体から情報を読み出し、そこに情報を書き込むことができる。その代替案では、記憶媒体は、プロセッサに集積できる。プロセッサ及び記憶媒体は、ＡＳＩＣ中に存在できる。ＡＳＩＣは、ユーザ端末中に存在できる。その代替案では、プロセッサ及び記憶媒体は、ユーザ端末中に単体の構成部品として存在できる。
【００７９】
開示された実施形態のこれまでの説明は、本技術分野に知識のあるいかなる者でも、本発明を作成し、使用することを可能にする。これらの実施形態の各種の変形は、この分野に知識のある者に、容易に実現されるであろう。そして、ここで定義された一般的な原理は、本発明の精神及び範囲から逸脱しないで、他の実施形態にも適用できる。それゆえ、本発明は、ここに示された実施形態に制限することを意図したものではなく、ここに開示した原理及び卓越した特性と整合する広い範囲に適用されるものである。
【図１】
2010063108.tif 000003
【図２】
2010063108.tif 000004
【図３】
2010063108.tif 000005
【図４】
2010063108.tif 000006
【図５】
2010063108.tif 000007
【図６】
2010063108.tif 000008
【図７】
2010063108.tif 000009
【図８】
2010063108.tif 000010
【図９】
2010063108.tif 000011
【図１０】
2010063108.tif 000012
【図１１】
2010063108.tif 000013
【図１２】
2010063108.tif 000014
【図１３】
2010063108.tif 000015
【図１４】
2010063108.tif 000016
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
ワイアレス通信システムにおける通話セットアップの方法であって、以下を具備する：
以前に取り決めたサービスパラメータの使用を指示するために第１の局から第２の局へチャネル割り当てメッセージを送信すること。
【手続補正２】
【補正対象書類名】明細書
【補正対象項目名】００７９
【補正方法】変更
【補正の内容】
【００７９】
開示された実施形態のこれまでの説明は、本技術分野に知識のあるいかなる者でも、本発明を作成し、使用することを可能にする。これらの実施形態の各種の変形は、この分野に知識のある者に、容易に実現されるであろう。そして、ここで定義された一般的な原理は、本発明の精神及び範囲から逸脱しないで、他の実施形態にも適用できる。それゆえ、本発明は、ここに示された実施形態に制限することを意図したものではなく、ここに開示した原理及び卓越した特性と整合する広い範囲に適用されるものである。なお、本願発明のその他の実施例として下記がある。
[その他の実施例１]
ワイアレス通信システムにおける通話セットアップの方法であって、以下を具備する：
以前に取り決めたサービスパラメータの使用を指示するために第１の局から第２の局へチャネル割り当てメッセージを送信すること。
[その他の実施例２]
その他の実施例１の方法、ここで、チャネル割り当てメッセージはフラッグを具備する。
[その他の実施例３]
その他の実施例２の方法、ここで、チャネル割り当てメッセージは、アクティブセット及びアクティブセットのパラメータに関連したアクティブセット識別名をさらに具備する。
[その他の実施例４]
その他の実施例３の方法、ここで、チャネル割り当てメッセージは、移動局からの開始メッセージに応答して送信される。
[その他の実施例５]
その他の実施例４の方法、ここで、開始メッセージは、ショートデータバースト情報を含む。
[その他の実施例６]
その他の実施例２の方法、ここで、チャネル割り当てメッセージは、ページングシーケンスに応答して送信される。
[その他の実施例７]
その他の実施例２の方法、ここで、チャネル割り当てメッセージは、モービルスイチングセンタ（ＭＳＣ）からのページング要求メッセージに応答してページングなしで通話を開始するために送信される。
[その他の実施例８]
ワイアレス通信システムにおける通話セットアップの方法であって、以下を具備する：
第１の局から第２の局へチャネル割り当てメッセージを送信すること、ここで、前記メッセージは、アクティブセット及びアクティブセットのパラメータに関連したアクティブセット識別名を具備する。
[その他の実施例９]
その他の実施例８の方法、ここで、チャネル割り当てメッセージは、それらと関連させるアクティブセット識別名を有するアクティブセット及びパラメータを具備するチャネル割り当てメッセージに続いて送信される。
[その他の実施例１０]
ページングなしで移動局が終点の通話セットアップを開始するための方法であって、移動局はアイドル状態にあって、以下を具備する：
移動局は、基地局へパイロット強度観測メッセージを配信するためにシステムアクセス状態に入ること。
[その他の実施例１１]
その他の実施例１０の方法であって、基地局は、パイロット強度観測メッセージ中の情報に基づいたアクティブセットを有するチャネル割り当てメッセージを移動局へ送信すること、をさらに具備する。
[その他の実施例１２]
その他の実施例１１の方法、ここで、アクティブセット情報は、アクティブセット識別名を使用して送信される。
[その他の実施例１３]
その他の実施例１１の方法であって、移動局は、チャネル割り当てメッセージに応答してトラフィックチャネルセットアップにある基地局へ認証メッセージを送信すること、をさらに具備する。
[その他の実施例１４]
その他の実施例１の方法、ここで、チャネル割り当てメッセージは、以前に使用したアクティブセット情報含む。
[その他の実施例１５]
その他の実施例３の方法であって、しきい値を超える強度で1若しくはそれ以上の追加のパイロット信号の移動局の受信で条件付けられたパイロット強度観測メッセージを有するチャネル割り当てメッセージに応答する移動局をさらに具備する。
[その他の実施例１６]
その他の実施例１５の方法であって、パイロット強度観測メッセージに応答してアップデートされたチャネル割り当てメッセージを送信する基地局をさらに具備する。
[その他の実施例１７]
その他の実施例１４の方法であって、チャネル割り当てメッセージに応答してトラフィックチャネルセットアップにある基地局へ認証メッセージを送信する移動局をさらに具備する。
[その他の実施例１８]
休止パケットデータ通話をアクティベイトする再接続メッセージを基地局へ送信する移動局を具備する、ワイアレス通信システムにおける通話セットアップの方法。
[その他の実施例１９]
その他の実施例１８の方法、ここで、再接続メッセージは、１ラジオフレーム若しくはそれ以下の長さである。
[その他の実施例２０]
その他の実施例１８の方法、ここで、再接続メッセージは、基地局からのメッセージに応答して送信される。
[その他の実施例２１]
基地局から受信したチャネル割り当てメッセージに続いて基地局へプリアンブルを直接送信する移動局を具備する、ワイアレス通信システムにおける通話セットアップの方法。
[その他の実施例２２]
その他の実施例２１の方法であって、規定された量のデータが、規定された時間の期間内に順方向リンク上で受信されない場合に、プリアンブル送信を終わりにする移動局をさらに具備する。
[その他の実施例２３]
ワイアレス通信システムであって以下を具備する：
第１の局；及び
以前に取り決めたサービスパラメータの使用を指示するためのチャネル割り当てメッセージを第１の局へ送信するための第２の局。
[その他の実施例２４]
その他の実施例２３の装置、ここで、チャネル割り当てメッセージは、フラッグを具備する。
[その他の実施例２５]
その他の実施例２３の装置、ここで、チャネル割り当てメッセージは、アクティブセット及びアクティブセットのパラメータに関連したアクティブセット識別名を具備する。
[その他の実施例２６]
ページングなしで移動局が終点の通話セットアップを開始するワイアレス通信システムであって、以下を具備する：
第１の局；及び
しきい値を超える強度で1若しくはそれ以上の追加のパイロット信号の第１の局の受信で条件付けられた第１の局からパイロット強度観測メッセージを受信するため、及びパイロット強度観測メッセージに基づいてアクティブセット情報を有する第１の局へチャネル割り当てメッセージを送信するための第２の局。
[その他の実施例２７]
ページングなしで第１の局が終点の通話セットアップを開始するワイアレス通信システムであって、以下を具備する：
第２の局；及び
以前に使用したアクティブセット情報を有するチャネル割り当てメッセージを受信するため、及びしきい値を超える1若しくはそれ以上の追加のパイロット信号が受信される場合に、パイロット強度観測メッセージを第２の局へ条件付きで送信するための第１の局。
[その他の実施例２８]
ネットワークに実施可能に接続されたワイアレス通信システムであって、以下を具備する：
第２の局；
通話セットアップの開始のためのショートデータバースト情報及びショートデータバースト情報の配信を含む開始メッセージを第２の局へ送信するための第１の局；及び
第２の局からショートデータバースト情報を受信するため、及びそれをネットワーク目的地へ送信するための第１のスイッチングセンタ。
[その他の実施例２９]
ワイアレス通信システムにおいて通話をセットアップするために使用される装置であって、以下を具備する：
メモリ；及び
上記メモリに通信的に接続されたディジタル信号処理装置であって、このディジタル信号処理装置は、以前に取り決めたサービスパラメータの使用を指示するために第１の局から第２の局へチャネル割り当てメッセージを送信するための命令を実行することが可能である。
[その他の実施例３０]
ワイアレス通信システムであって、以下を具備する：
信号を送信するための第１の手段；及び
第１の局から第２の局へチャネル割り当てメッセージを送信するための第２の手段であって、このチャネル割り当てメッセージは、以前に取り決めたサービスパラメータの使用を指示するために使用される。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
ワイアレス通信システムにおける通話セットアップの方法であって、以下を具備する：
基地局から移動局へ第１のチャネル割り当てメッセージを送信する；
基地局から移動局へ第２のチャネル割り当てメッセージを送信する、
ここで、前記第１と第２のチャネル割り当てメッセージは、パイロットとアクティブセットのパラメータを備えるアクティブセットに関連したアクティブセット識別名を具備する；
ここにおいて、前記パイロットは、十分な強度で移動局において受信された隣接する基地局からのものであり、前記アクティブセットのパラメータはパイロットおよびチャネルに関するパラメータである。
【請求項２】
その上に複数の命令を有するコンピューター可読媒体を備えるコンピュータープログラム製品、該複数の命令は下記を備える：
第１の局から第２の局へ第１のチャネル割り当てメッセージを送信するためのコード、前記第１のチャネル割り当てメッセージはそれらと関係付けるためのアクティブセット識別子を伴うアクティブセットと前記アクティブセットのパラメータを備える；および、
第１の局から第２の局へ第２のチャネル割り当てメッセージを送信するためのコード、ここで、前記第２のチャネル割り当てメッセージは、アクティブセット及び前記アクティブセットのパラメータに関連したアクティブセット識別名を具備する、
ここにおいて、前記パイロットは、十分な強度で移動局において受信された隣接する基地局からのものであり、前記アクティブセットのパラメータはパイロットおよびチャネルに関するパラメータである。
【外国語明細書】
2010063108000001.pdf